(57)【要約】【課題】クレジットカードに関連付けられている定期券情報の移し替えを自動的に行うことで、利用者の利便性を向上させ、係員の負担を軽減することができる交通管理装置、交通管理システム、および交通管理プログラムを提供することである。【解決手段】実施形態の交通管理装置は、通信部と、クレジットカード情報管理部とを持つ。通信部は、ネットワークを介して接続される自動改札機から、自動改札機によりクレジットカードから読み取られた識別情報と有効期限とを受信する。クレジットカード情報管理部は、受信された識別情報が登録されている識別情報と一致し、且つ、受信された有効期限が登録されている有効期限よりも新しいか否かを判定し、識別情報が一致し且つ受信された有効期限の方が新しい場合、記憶部に登録されている有効期限を通信部により受信された有効期限に書き換える。【選択図】図３
2018041393.tif 000002
【特許請求の範囲】
【請求項１】
ネットワークを介して接続される自動改札機から、前記自動改札機によりクレジットカードから読み取られた識別情報と有効期限とを受信する通信部と、
前記通信部により受信された前記識別情報が記憶部に登録されている前記識別情報と一致し、且つ、前記通信部により受信された前記有効期限が前記記憶部に登録されている前記有効期限よりも新しいか否かを判定し、前記識別情報が一致し且つ前記通信部により受信された前記有効期限の方が新しい場合、前記記憶部に登録されている前記有効期限を前記通信部により受信された前記有効期限に書き換えるクレジットカード情報管理部と、
を備える交通管理装置。
【請求項２】
少なくともクレジットカードの識別情報に対して、事前に購入された定期券に関する定期券情報を対応づけたバリュー管理情報を参照して、少なくとも前記通信部により受信された前記識別情報に基づき、利用者による前記自動改札機の通過可否を判定する通過管理部と、
を備える請求項１に記載の交通管理装置。
【請求項３】
前記クレジットカード情報管理部は、前記通過管理部による前記自動改札機の通過可否の判定結果に関わらず、前記通信部により受信された前記識別情報が前記記憶部に登録されている前記識別情報と一致し、且つ、前記通信部により受信された前記有効期限が前記記憶部に登録されている前記有効期限よりも新しいか否かを判定し、前記識別情報が一致し且つ前記通信部により受信された前記有効期限の方が新しい場合、前記記憶部に登録されている前記有効期限を前記通信部により受信された前記有効期限に書き換える
請求項２に記載の交通管理装置。
【請求項４】
前記通過管理部は、前記通信部により受信された前記有効期限の方が、前記記憶部に登録されている前記有効期限より古いと前記クレジットカード情報管理部により判定された場合、前記自動改札機の通過を禁止させる信号を、前記通信部を介して前記自動改札機に送信する
請求項２または３に記載の交通管理装置。
【請求項５】
前記クレジットカード情報管理部は、前記クレジットカードの有効期限を書き換えた場合、書き換えに関する情報を印刷するための印刷情報を生成し、前記通信部を介して前記自動改札機に送信させる
請求項１から４のうちいずれか一項に記載の交通管理装置。
【請求項６】
請求項１から５のうちいずれか一項に記載の交通管理装置と、
利用者の提示した媒体から前記クレジットカードの識別情報と有効期限とを読み取り、前記ネットワークを介して前記交通管理装置に送信する自動改札機と、
を備える交通管理システム。
【請求項７】
コンピュータに、
ネットワークを介して接続される自動改札機から、前記自動改札機によりクレジットカードから読み取られた識別情報と有効期限とを受信させ、
前記受信された前記識別情報が記憶部に登録されている前記識別情報と一致し、且つ、前記受信された前記有効期限が前記記憶部に登録されている前記有効期限よりも新しいか否かを判定させ、
前記識別情報が一致し且つ前記受信された前記有効期限の方が新しい場合、前記記憶部に登録されている前記有効期限を前記受信された前記有効期限に書き換えさせる、
交通管理プログラム。
【発明の詳細な説明】
【技術分野】
【０００１】
本発明の実施形態は、交通管理装置、交通管理システム、および交通管理プログラムに関する。
【背景技術】
【０００２】
従来、鉄道機関で利用されるＩＣ（Integrated Circuit）カードとして、クレジットカードの機能と定期券の機能の両方を備えたものが知られている。このＩＣカードが利用されるシステムでは、クレジットカードの有効期限が切れそうな場合、利用者は古いクレジットカードと新しいクレジットカードとを係員に渡し、係員が定期券発行機にて、古いクレジットカードに関連付けられている定期券情報等を新しいクレジットカードに移し替える作業を行っている。このため、利用者、係員ともに手間がかかっていた。
【先行技術文献】
【特許文献】
【０００３】
【特許文献１】特開２００７−２６５０７０号公報
【発明の概要】
【発明が解決しようとする課題】
【０００４】
本発明が解決しようとする課題は、クレジットカードに関連付けられている定期券情報の移し替えを自動的に行うことで、利用者の利便性を向上させ、係員の負担を軽減することができる交通管理装置、交通管理システム、および交通管理プログラムを提供することである。
【課題を解決するための手段】
【０００５】
実施形態の交通管理装置は、通信部と、クレジットカード情報管理部とを持つ。通信部は、ネットワークを介して接続される自動改札機から、前記自動改札機によりクレジットカードから読み取られた識別情報と有効期限とを受信する。クレジットカード情報管理部は、前記通信部により受信された前記識別情報が記憶部に登録されている前記識別情報と一致し、且つ、前記通信部により受信された前記有効期限が前記記憶部に登録されている前記有効期限よりも新しいか否かを判定し、前記識別情報が一致し且つ前記通信部により受信された前記有効期限の方が新しい場合、前記記憶部に登録されている前記有効期限を前記通信部により受信された前記有効期限に書き換える。
【図面の簡単な説明】
【０００６】
【図１】実施形態の交通管理システム１の構成図。
【図２】１つの自動改札機１０を上方から見た図。
【図３】実施形態のセンターサーバ１００の構成図。
【図４】ステータス管理情報１２２の内容の一例を示す図。
【図５】バリュー管理情報１２３の内容の一例を示す図。
【図６】クレジットカード管理情報１２４の内容の一例を示す図。
【図７】センターサーバ１００の動作の流れの一例を示すフローチャート。
【図８】センターサーバ１００の動作の流れの一部を示すフローチャート。
【発明を実施するための形態】
【０００７】
以下、実施形態の交通管理装置、交通管理システム、および交通管理プログラムを、図面を参照して説明する。
【０００８】
図１は、実施形態の交通管理システム１の構成図である。交通管理システム１は、例えば、複数の駅に設置された自動改札機１０と、センターサーバ（交通管理装置）１００とを備える。各駅には、駅サーバ５０が設けられる。各駅の自動改札機１０は、駅サーバ５０を介してネットワークＮＷにアクセスし、センターサーバ１００と通信する。駅サーバ５０には、駅務機器４０などの機器が接続される場合もある。ネットワークＮＷは、ＷＡＮ（Wide Area Network）やＬＡＮ（Local Area Network）などを含む。
【０００９】
図２は、１つの自動改札機１０を上方から見た図である。自動改札機１０は、通路を挟んで対向配置される主機２０と従機３０とを備える。主機２０は、例えば、リーダライタ部２１と、上面表示部２２と、正面表示部２３と、扉部２４および２５と、制御部２６と、印刷部２７とを備える。また、従機３０は、リーダライタ部３１と、上面表示部３２と、正面表示部３３と、扉部３４および３５と、印刷部３７とを備える。
【００１０】
主機２０のリーダライタ部２１は、図２のａ方向に通過しようとする利用者によって翳された媒体に記憶された情報を読み取って、読み取った情報を制御部２６に送信する。上面表示部２２は、制御部２６によって処理された結果を表示する。正面表示部２３は、図２のａ方向に通過可能であるか否かを示すマークや図形、文字等を表示する。正面表示部２３の表示内容は、制御部２６によって決定される。図２の例では、自動改札機１０は、ａ方向の通過のみ許可する動作モード（第１の動作モード）に設定されているため、主機２０の正面表示部２３は、通過を許可することを示すマークを表示している。制御部２６は、主機２０と従機３０の各部を制御する。
【００１１】
一方、従機３０のリーダライタ部３１は、ｂ方向に通過しようとする利用者によって翳された媒体に記憶された情報を読み取って、読み取った情報を主機２０の制御部２６に送信する。上面表示部３２は、リーダライタ部３１に媒体が翳された場合に、主機２０の制御部２６によって処理された結果を表示する。正面表示部３３は、ｂ方向に通過可能であるか否かを示すマークや図形、文字等を表示する。正面表示部３３の表示内容は、主機２０の制御部２６によって決定される。図２の例では、自動改札機１０は、ａ方向の通過のみ許可する第１の動作モードに設定されているため、従機３０の正面表示部３３は、通過を禁止することを示すマークを表示している。
【００１２】
主機２０の制御部２６は、自動改札機１０が第１の動作モードに設定されている場合には、扉部２５および３５を開放状態に維持すると共に、扉部２４および３４を開放状態または閉止状態に制御することで、ａ方向の利用者の通過を許可または禁止する。また、制御部２６は、自動改札機１０が図２のｂ方向の通過のみ許可する動作モード（第２の動作モード）に設定されている場合には、扉部２４および３４を開放状態に維持すると共に、扉部２５および３５を開放状態または閉止状態に制御することで、ｂ方向の利用者の通過を許可または禁止する。
【００１３】
主機２０の制御部２６は、ネットワークＮＷおよび駅サーバ５０を介してセンターサーバ１００から受信した開閉コマンドに基づき、扉部２４，２５，３４，３５を制御する。例えば、制御部２６は、第１の動作モードに設定されている状態において、センターサーバ１００から開放コマンドを受信した場合、扉部２４および３４を開放状態に制御し、センターサーバ１００から閉止コマンドを受信した場合、扉部２４および３４を開放状態に制御する。また、制御部２６は、第２の動作モードに設定されている状態において、センターサーバ１００から開放コマンドを受信した場合、扉部２５および３５を開放状態に制御し、センターサーバ１００から閉止コマンドを受信した場合、扉部２５および３５を開放状態に制御する。
【００１４】
印刷部２７および３７は、紙等の印刷媒体を内部に収容し、ネットワークＮＷおよび駅サーバ５０を介してセンターサーバ１００から受信した印刷情報が示す内容を、印刷媒体に印刷する。印刷部２７および３７は、主機２０および従機３０の上面側に設けられた排出口から印刷された印刷媒体を排出する。印刷媒体は、裏面に粘着性を有するシール等であってもよい。
【００１５】
リーダライタ部２１および３１は、例えば、自身に翳された媒体から識別情報と有効期限を読み取る。識別情報とは、例えば、クレジットカードの識別情報（以下、クレジットカード番号と記す）である。有効期限とは、例えば、クレジットカードとしての有効期限（以下、クレジットカード有効期限と記す）である。媒体は、クレジットカードの機能を備える媒体であって、例えば非接触通信機能を有するＩＣカードである。
【００１６】
制御部２６は、自動改札機１０が設定されている駅を示す情報や、自動改札機１０を通過した時刻を示す情報、リーダライタ部２１および３１により読み取られたクレジットカード番号およびクレジットカード有効期限を含めた乗車券情報を生成し、ネットワークＮＷおよび駅サーバ５０を介してセンターサーバ１００に送信する。
【００１７】
図３は、実施形態のセンターサーバ１００の構成図である。センターサーバ１００は、例えば、通信部１１０と、記憶部１２０と、制御部１３０とを備える。
【００１８】
通信部１１０は、ネットワークＮＷおよび駅サーバ５０を介して自動改札機１０と通信する。通信部１１０は、自動改札機１０により送信された情報を受信した場合、受信した情報を制御部１３０に出力する。また、通信部１１０は、制御部１３０の指示に従って、自動改札機１０に情報を送信する。
【００１９】
記憶部１２０は、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）等により実現される。記憶部１２０には、運賃テーブル１２１と、ステータス管理情報１２２と、バリュー管理情報１２３と、クレジットカード管理情報１２４とが記憶される。また、記憶部１２０には、上記の各種情報の他、アプリケーションプログラムなどの各種プログラム、制御部１３０による処理結果などが記憶される。
【００２０】
運賃テーブル１２１は、例えば、駅の区間に運賃が対応づけられた情報である。
【００２１】
図４は、ステータス管理情報１２２の内容の一例を示す図である。ステータス管理情報１２２は、各利用者の利用状況に関する情報（ステータス情報）を保存するテーブルである。ステータス管理情報１２２では、例えば、図４に示す通り、クレジットカード番号に、ステータス情報が対応付けられている。ステータス情報には、例えば、入場駅、入場時刻、出場駅、出場時刻を示す情報等が含まれる。
【００２２】
図５は、バリュー管理情報１２３の内容の一例を示す図である。バリュー管理情報１２３は、各利用者の運賃の支払いに充てられる対価に関する情報（バリュー情報）を保存するテーブルである。バリュー管理情報１２３では、例えば、図５に示す通り、クレジットカード番号に、バリュー情報が対応付けられている。バリュー情報には、例えば、定期券区間、定期券有効期限、引去り額、残高を示す情報等が含まれる。定期券区間および定期券有効期限は、事前に購入された定期券に関する定期券情報である。引去り額は、直前の精算処理において電子マネーで支払われた金額である。残高は、事前に購入された電子マネーの残高である。なお、バリュー管理情報１２３は、定期券情報だけを保存し、電子マネーに関する情報（引去り額および残高）を保存しないものであってもよい。
【００２３】
図６は、クレジットカード管理情報１２４の内容の一例を示す図である。クレジットカード管理情報１２４は、クレジットカード番号に、このクレジットカードの有効期限を対応づけた情報である。
【００２４】
制御部１３０は、例えば、クレジットカード情報管理部１３１と、精算部１３２と、通過管理部１３３とを備える。制御部１３０の各機能部は、例えばＣＰＵ（Central Processing Unit）等のプロセッサがプログラムメモリに格納されたプログラムを実行することにより実現される。また、制御部１３０の機能部のうち一部または全部は、ＬＳＩ（Large Scale Integration）、ＡＳＩＣ（Application Specific Integrated Circuit）、またはＦＰＧＡ（Field-Programmable Gate Array）等のハードウェアにより実現されてもよい。また、制御部１３０は、時計機能やカレンダーを備える。
【００２５】
クレジットカード情報管理部１３１は、通信部１１０により受信されたクレジットカード番号が有効であるか否かを判定するとともに、新しいクレジットカード有効期限を受信した場合に古いクレジットカード有効期限を新しいクレジットカード有効期限に書き換える。
【００２６】
クレジットカード情報管理部１３１は、通信部１１０により受信されたクレジットカード番号が記憶部１２０に登録されているクレジットカード番号と一致し、且つ、通信部１１０により受信されたクレジットカード有効期限が記憶部１２０に登録されているクレジットカード有効期限よりも新しいか否かを判定する。クレジットカード情報管理部１３１は、受信されたクレジットカード番号と登録されているクレジットカード番号とが一致し、且つ、通信部１１０により受信されたクレジットカード有効期限の方が、クレジットカード管理情報１２４に登録されているクレジットカード有効期限より新しいと判定した場合、クレジットカード管理情報１２４に登録されているクレジットカード有効期限を通信部１１０により受信されたクレジットカード有効期限に書き換える。
【００２７】
クレジットカード情報管理部１３１は、クレジットカード有効期限を書き換えた場合、書き換えに関する情報を印刷部２７または３７に印刷させるための印刷情報を生成し、通信部１１０とネットワークＮＷを介して自動改札機１０に送信する。「書き換えに関する情報」には、例えば、クレジットカード有効期限が書き換えられたこと、書き換え前のクレジットカード有効期限、書き換え後のクレジットカード有効期限、クレジットカード番号、有効期限が書き換えられたクレジットカードに紐付けられた定期券情報（定期区間および有効期限）等が含まれる。
【００２８】
精算部１３２は、通信部１１０により受信された乗車券情報に基づき、運賃テーブル１２１とステータス管理情報１２２とを参照して、運賃を導出する。例えば、精算部１３２は、乗車券情報に含まれる出場駅を示す情報と、ステータス管理情報１２２において乗車券情報に含まれるクレジットカード番号に対応付けられている入場駅を示す情報とに基づき、入場駅から出場駅までの区間に対応する運賃を示す情報を、運賃テーブル１２１から読み出す。なお、詳細については後述するが、通過管理部１３３により、乗車区間が定期券区間と非定期券区間とにまたがると判定された場合、精算部１３２は、非定期券区間に該当する乗車区間の運賃を導出する。すなわち、乗車区間が定期券区間と非定期券区間との双方を含む場合、精算部１３２は、非定期券区間に該当する乗車区間の運賃を導出する。
【００２９】
精算部１３２は、通信部１１０により受信されたクレジットカード番号に基づき、バリュー管理情報１２３を参照して、導出した運賃の精算処理を行う。「精算処理」とは、精算部１３２が、導出した運賃に基づき、バリュー管理情報１２３の「バリュー情報」を書き換える処理をいう。
【００３０】
精算部１３２は、導出した運賃をバリュー管理情報１２３の差引額の欄に書き込み、残額に記載されている金額から、導出した運賃を減算した値がプラスであれば、減算した値を残額の欄に書き込む。この場合、精算部１３２は、精算完了であることを示す情報（以下、精算完了通知と記す）を、通過管理部１３３に出力する。一方、精算部１３２は、残額に記載されている金額から、導出した運賃を減算した値がマイナスになる場合、減算した値を残額の欄に書き込まず、精算未完了であることを示す情報（以下、精算未完了通知と記す）を、通過管理部１３３に出力する。
【００３１】
通過管理部１３３は、通信部１１０により受信された乗車券情報に基づき、クレジットカード番号により示される利用者により運賃の支払いがあったか否かを判定する。通過管理部１３３は、通信部１１０により受信された乗車券情報に基づき、ステータス管理情報１２２とバリュー管理情報１２３とを参照して、乗車区間が定期券区間に含まれるか否かを判定する。例えば、通過管理部１３３は、乗車券情報に含まれる出場駅を示す情報と、ステータス管理情報１２２において乗車券情報に含まれるクレジットカード番号と対応付けられた入場駅を示す情報とに基づき、入場駅から出場駅までの区間（乗車区間）を求め、求めた乗車区間が、バリュー管理情報１２３の定期券区間に含まれているか否かを判定する。
【００３２】
通過管理部１３３は、求めた乗車区間の全てが、バリュー管理情報１２３の定期券区間に含まれている場合、定期券だけでの利用が可能であると判定し、定期券の期限が有効であるか否かを判定する。定期券の期限が有効であると判定した場合、通過管理部１３３は、定期券により運賃の支払いがあったと判定する。一方、定期券の期限が有効でないと判定した場合、通過管理部１３３は、定期券により運賃の支払いができないと判定する。
【００３３】
また、通過管理部１３３は、精算部１３２から精算完了通知が入力された場合、クレジットカード番号により示される利用者により運賃の支払いがあったと判定する。一方、精算部１３２から精算未完了通知が入力された場合、通過管理部１３３は、クレジットカード番号により示される利用者により運賃の支払いができないと判定する。
【００３４】
通過管理部１３３は、運賃の支払いがあったと判定した場合、通信部１１０とネットワークＮＷを介して、自動改札機１０に扉部を開放させるコマンドを送信する。通過管理部１３３は、総合的に運賃の支払いができないと判定した場合、通信部１１０とネットワークＮＷを介して、自動改札機１０に扉部を閉止させるコマンドを送信する。
【００３５】
クレジットカード情報管理部１３１は、通過管理部１３３による自動改札機１０の通過可否の判定結果に関わらず、上述の判定処理を実行し、受信されたクレジットカード番号と登録されているクレジットカード番号とが一致し、且つ、通信部１１０により受信されたクレジットカード有効期限の方が、クレジットカード管理情報１２４に登録されているクレジットカード有効期限より新しいと判定した場合、クレジットカード管理情報１２４に登録されているクレジットカード有効期限を通信部１１０により受信されたクレジットカード有効期限に書き換える。これにより、通過管理部１３３により運賃の支払いができないと判定される場合であっても、クレジットカード有効期限は書き換えることができる。
【００３６】
次に、図７を参照して、センターサーバ１００の動作について説明する。図７は、センターサーバ１００の動作の流れの一例を示すフローチャートである。
【００３７】
通信部１１０は、ネットワークＮＷおよび駅サーバ５０を介して、自動改札機１０から乗車券情報を受信する（ステップＳ１０１）。この乗車券情報には、クレジットカードから読み取られたクレジットカード番号およびクレジットカード有効期限と、自動改札機１０の設置された駅と通過した時刻とを示す情報等が含まれている。クレジットカード情報管理部１３１は、乗車券情報に含まれるクレジットカード番号がクレジットカード管理情報１２４に登録されているクレジットカード番号と一致し、且つ、乗車券情報に含まれるクレジットカード有効期限がクレジットカード管理情報１２４に登録されているクレジットカード有効期限と一致するか否かを判定する（ステップＳ１０２）。
【００３８】
クレジットカード情報管理部１３１は、クレジットカード番号が一致し、且つ、クレジットカード有効期限も一致すると判定した場合、乗車券情報に含まれるクレジットカード番号が有効であると判定し、判定結果を精算部１３２および通過管理部１３３に出力する。精算部１３２および通過管理部１３３は、有効であると判定されたクレジットカード番号に基づき、他の判定処理を行い、総合判定結果を自動改札機１０に送信する（ステップＳ１０３）。なお、ステップＳ１０３での処理は、図８を参照して後述する。
【００３９】
一方、ステップＳ１０２において、クレジットカード有効期限が一致しないと判定した場合、クレジットカード情報管理部１３１は、乗車券情報に含まれるクレジットカード有効期限が、クレジットカード管理情報１２４に登録されているクレジットカード有効期限よりも新しいか否かを判定する（ステップＳ１０４）。乗車券情報に含まれるクレジットカード有効期限が、クレジットカード管理情報１２４に登録されているクレジットカード有効期限よりも新しいと判定した場合、クレジットカード情報管理部１３１は、クレジットカード管理情報１２４に登録されているクレジットカード有効期限を、乗車券情報に含まれるクレジットカード有効期限に書き換える（ステップＳ１０５）。そして、クレジットカード情報管理部１３１は、書き換えに関する印刷情報を生成する（ステップＳ１０６）。制御部１３０は、クレジットカード情報管理部１３１により有効であると判定されたクレジットカード番号に基づいて、他の判定処理を行い、総合判定結果を自動改札機１０に送信する（ステップＳ１０３）。
【００４０】
一方、ステップＳ１０４において、乗車券情報に含まれるクレジットカード有効期限が、クレジットカード管理情報１２４に登録されているクレジットカード有効期限よりも古いと判定した場合、クレジットカード情報管理部１３１は、乗車券情報に含まれるクレジットカード番号が有効でないと判定し、クレジットカードによる乗車券利用ができないことを示す情報を、通過管理部１３３に出力する（ステップＳ１０７）。これにより、通過管理部１３３は、当該クレジットカードにより鉄道を利用できない利用者であると判定し、通信部１１０とネットワークＮＷを介して、自動改札機１０に扉部を閉止させるコマンドを送信する。
【００４１】
次に、図８を参照して、図７に示したセンターサーバ１００の動作に含まれる一部の動作の一例について説明する。図８は、図７に示したセンターサーバ１００の動作に含まれる一部の動作の流れの一例を示すフローチャートである。
【００４２】
通過管理部１３３は、ステップＳ１０１で受信した乗車券情報に基づき、ステータス管理情報１２２とバリュー管理情報１２３とを参照して、乗車区間の全てが定期券区間に含まれるか否かを判定する（ステップＳ２０１）。乗車区間の全てが定期券区間に含まれると判定した場合、通過管理部１３３は、バリュー管理情報１２３を参照して、定期券の期限が有効であるか否かを判定する（ステップＳ２０２）。定期券の期限が有効であると判定した場合、通過管理部１３３は、扉部を開放させるコマンドを、通信部１１０とネットワークＮＷを介して自動改札機１０に送信する（ステップＳ２０３）。一方、定期券の期限が有効でないと判定された場合、精算部１３２は、ステップＳ１０１で受信したクレジットカード番号と出場情報とに基づき、運賃テーブル１２１とステータス管理情報１２２とバリュー管理情報１２３とを参照して、クレジットカード番号に対する乗車区間の運賃を導出する（ステップＳ２０４）。
【００４３】
一方、ステップＳ２０１において、乗車区間の全てが定期券区間に含まれないと判定した場合、通過管理部１３３は、乗車区間が定期券区間と非定期券区間とにまたがるか否かを判定する（ステップＳ２０５）。乗車区間が定期券区間と非定期券区間とにまたがると判定した場合、通過管理部１３３は、バリュー管理情報１２３を参照して、定期券の期限が有効であるか否かを判定する（ステップＳ２０６）。定期券の期限が有効であると判定された場合、精算部１３２は、ステップＳ１０１で受信したクレジットカード番号と出場情報とに基づき、運賃テーブル１２１とステータス管理情報１２２とバリュー管理情報１２３とを参照して、クレジットカード番号に対する非定期券区間の運賃を導出する（Ｓ２０７）。一方、定期券の期限が有効でないと判定された場合、精算部１３２は、ステップＳ２０４に移行し、乗車区間の運賃を導出する。
【００４４】
ステップＳ２０５に戻って、乗車区間が定期券区間と非定期券区間とにまたがらないと判定された場合（つまり、乗車区間が定期券区間に含まれない場合）、精算部１３２は、精算部１３２は、ステップＳ２０４に移行し、乗車区間の運賃を導出する。
【００４５】
次いで、精算部１３２は、バリュー管理情報１２３を参照して、導出した運賃以上の残高があるか否かを判定する（ステップＳ２０８）。導出した運賃以上の残高がある場合、精算部１３２は、導出した運賃の精算処理を行う（ステップＳ２０９）。そして、通過管理部１３３は、ステップＳ２０４において、通信部１１０とネットワークＮＷを介して、自動改札機１０に扉部を開放させるコマンドを送信する。一方、ステップＳ２０８において、導出した運賃以上の残高がない場合、通過管理部１３３は、残額が不足していることを示す情報とともに、扉部を閉止させるコマンドを、通信部１１０とネットワークＮＷを介して自動改札機１０に送信する（ステップＳ２１０）。
【００４６】
以上説明した少なくとも一つの実施形態によれば、ネットワークＮＷを介して接続される自動改札機１０から、自動改札機１０によりクレジットカードから読み取られたクレジットカード番号とクレジットカード有効期限とを受信する通信部１１０と、通信部１１０により受信されたクレジットカード番号が記憶部１２０に登録されているクレジットカード番号と一致し、且つ、通信部１１０により受信されたクレジットカード有効期限が記憶部１２０に登録されているクレジットカード有効期限よりも新しいか否かを判定し、クレジットカード番号が一致し且つ通信部１１０により受信されたクレジットカード有効期限の方が新しい場合、記憶部１２０に登録されているクレジットカード有効期限を通信部１１０により受信されたクレジットカード有効期限に書き換えるクレジットカード情報管理部１３１と、を備えることにより、自動改札機１０のリーダライタ部２１または３１にクレジットカードを翳すだけでクレジットカードの有効期限の書き換えを自動的に行い、クレジットカード番号に紐付けられた定期券情報や電子マネー等のバリュー情報を自動的に移し替えることができる。よって、利用者の利便性を向上させ、係員の負担を軽減することができる。
【００４７】
また、以上説明した交通管理システムによれば、クレジットカード情報管理部１３１は、通過管理部１３３による自動改札機１０の通過可否の判定結果に関わらず、新しいクレジットカード有効期限を受信した場合に古いクレジットカード有効期限を新しいクレジットカード有効期限に書き換える。これにより、クレジットカード番号に紐付けられた定期券または電子マネーにより運賃の支払いができずに自動改札機１０を通過できない場合であっても、クレジットカード情報管理部１３１は、記憶部１２０に登録されているクレジットカード有効期限を新しいクレジットカード有効期限に書き換えることができる。よって、その後定期券の更新や電子マネーのチャージを行う際、クレジットカード番号に紐付けられた定期券情報や電子マネーを移し替える手間が省けるため、利用者の利便性を向上させ、係員の負担を軽減することができる。
【００４８】
また、以上説明した交通管理システムによれば、通信部１１０により受信されたクレジットカード有効期限の方が、クレジットカード管理情報１２４に登録されているクレジットカード有効期限より古いと判定された場合、通過管理部１３３は、自動改札機１０の通過を禁止させる信号を、通信部１１０を介して自動改札機１０に送信する。これにより、古いクレジットカードの不正使用を防止することができる。
【００４９】
また、以上説明した交通管理システムによれば、クレジットカード情報管理部１３１は、クレジットカード有効期限を書き換えた場合、書き換えに関する情報を印刷するための印刷情報を生成し、通信部１１０を介して自動改札機１０に送信させる。これにより、自動改札機１０の印刷部２７または３７が書き換えに関する情報を印刷することができるため、利用者は、書き換えの内容を確認することができる。また、印刷部２７または３７が、粘着力を有するシールに書き換えに関する情報が印刷することにより、書き換えに関する情報をクレジットカードに張り付けることも可能になる。
【００５０】
また、実施形態に係るセンターサーバ１００は、上述に限定されない。例えば、バリュー管理情報１２３のクレジットカード番号に対して、クレジットカード有効期限がさらに対応づけられていてもよい。この場合、通過管理部１３３は、受信されたクレジットカード番号がバリュー管理情報１２３のクレジットカード番号と一致し、且つ、受信されたクレジットカード有効期限がバリュー管理情報１２３のクレジットカード有効期限と一致するか否かを判定し、クレジットカード番号が一致し且つクレジットカード有効期限も一致する場合に、図８に示す処理を実行するようにしてもよい。また、この場合、クレジットカード情報管理部１３１は、図７に示す処理を並行して行ってもよい。このクレジットカード情報管理部１３１による並行処理において、受信されたクレジットカード有効期限がバリュー管理情報１２３のクレジットカード有効期限よりも古いと判定された場合、通過管理部１３３は、運賃の支払いがあったと判定した場合であっても、通信部１１０とネットワークＮＷを介して、自動改札機１０に扉部を閉止させるコマンドを送信する。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１…交通管理システム、１０…自動改札機、２０…主機、２１…リーダライタ部、２２…上面表示部、２３…正面表示部、２４…扉部２４、２５…扉部、２６…制御部、２７…印刷部、３０…従機３０、３１…リーダライタ部、３２…上面表示部、３３…正面表示部、３４…扉部、３５…扉部、３７…印刷部、４０…駅務機器、５０…駅サーバ、１００…センターサーバ、１１０…通信部１１０、１２０…記憶部、１２１…運賃テーブル、１２２…ステータス管理情報、１２３…バリュー管理情報、１２４…クレジットカード管理情報、１３０…制御部、１３１…クレジットカード情報管理部、１３２…精算部、１３３…通過管理部
【図１】
2018041393.tif 000003
【図２】
2018041393.tif 000004
【図３】
2018041393.tif 000005
【図４】
2018041393.tif 000006
【図５】
2018041393.tif 000007
【図６】
2018041393.tif 000008
【図７】
2018041393.tif 000009
【図８】
2018041393.tif 000010